【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  血液処理フィルターであって、該血液処理フィルターは、可撓性容器およびフィルターのシートを含み、該可撓性容器は、入口ポートおよび出口ポートを有し、そして該シートは、血液から白血球を深層濾過によって取り除く複数層の積み重りとして配列され、
該血液処理フィルターは、以下：
第一シール領域であって、該第一シール領域は、該フィルター要素の該シートの周囲付近にある全周を該可撓性容器と一体化することにより、形成される、第一シール領域；
第二シール領域であって、該第二シール領域は、該第一シール領域の該全外周にわたって、該可撓性容器の入口側を該可撓性容器の出口側と一体化することにより、形成される、第二シール領域；および
非シール領域であって、該非シール領域は、該第一シール領域と該第二シール領域との間で、１〜３０ｍｍの間隙幅を備えている、非シール領域、
をさらに備え、
該入口ポートおよび該出口ポートは、該第一シールより内側に、該容器に連結されており、そして該フィルター要素によって分割されている、血液処理フィルター。
【請求項２】  前記フィルター要素が、第一フィルター要素、第二フィルター要素および第三フィルター要素を含み、該第一フィルター要素が、血液から凝集塊を取り除き、該第二フィルター要素が、該第一フィルター要素の下流に配置されて、白血球を取り除き、そして該第三フィルター要素が、該第二フィルター要素と前記容器の前記出口側との間に配置され、該容器の該出口側と該第二フィルター要素とが付着するのを防止する、請求項１に記載の血液処理フィルター。
【請求項３】  前記第一シール領域が、前記フィルター要素の周囲付近の少なくとも全周で、前記可撓性容器と一体化されている、請求項１に記載の血液処理フィルター。
【請求項４】  前記可撓性容器が、成形体のシートから形成される、請求項１〜３のいずれか１項に記載の血液処理フィルター。
【請求項５】  前記可撓性容器が、円筒形成形体から形成される、請求項１〜３のいずれか１項に記載の血液処理フィルター。
【請求項６】  成形部材から形成された前記入口ポートおよび出口ポートが、液密となるように前記可撓性容器に連結されている、請求項１〜５のいずれか１項に記載の血液処理フィルター。
【請求項７】  前記可撓性容器が、軟質ポリ塩化ビニルから形成されている、請求項１〜６のいずれか１項に記載の血液処理フィルター。
【請求項８】  前記可撓性容器が、ポリオレフィンから形成されている、請求項１〜６のいずれか１項に記載の血液処理フィルター。
【請求項９】  血液処理フィルターであって、該血液処理フィルターは、可撓性容器およびフィルター要素のシートを含み、該可撓性容器は、入口ポートおよび出口ポートを有し、そして該フィルター要素は、血液から白血球を深層濾過によって取り除く複数層の積み重りとして配列され、
該血液処理フィルターは、以下：
第一シール領域であって、該第一シール領域は、該フィルター要素の該シートの周囲付近にある全内周を該可撓性容器と一体化することにより、形成される、第一シール領域；
第二シール領域であって、該第二シール領域は、該第一シール領域より外側に放射状に間隔をおいた位置で、該フィルター要素シートの全外周にわたって、該可撓性容器の入口側を該可撓性容器の出口側と一体化することにより、形成される、第二シール領域；および
非シール領域であって、該非シール領域は、該第一シール領域と該第二シール領域との間にあり、該フィルター要素の周囲部分の縁部は、該非シール領域の全周にわたって、２〜２５ｍｍの幅で存在している、非シール領域、
をさらに備え、
該入口ポートおよび該出口ポートは、該第一シールの内側寄りで、該容器に連結されており、そして該フィルター要素によって分割されている、血液処理フィルター。
【請求項１０】  前記非シール領域に存在している前記フィルター要素の前記周囲の縁部が、その最大幅と最小幅との間の差が３ｍｍ以下で、前記幅の分布が小さい、請求項９に記載の血液処理フィルター。
【請求項１１】  前記フィルター要素が、第一フィルター要素、第二フィルター要素および第三フィルター要素を含み、該第一フィルター要素が、血液から凝集塊を取り除き、該第二フィルター要素が、該第一フィルター要素の下流に配置されて、白血球を取り除き、そして該第三フィルター要素が、該第二フィルター要素と前記容器の前記出口側との間に配置され、該容器の該出口側と該第二フィルター要素とが付着するのを防止する、請求項９または１０に記載の血液処理フィルター。
【請求項１２】  前記可撓性容器が、成形体のシートから形成される、請求項９〜１１のいずれか１項に記載の血液処理フィルター。
【請求項１３】  前記可撓性容器が、円筒形成形体から形成される、請求項９〜１１のいずれか１項に記載の血液処理フィルター。
【請求項１４】  成形部材から形成された前記入口ポートおよび出口ポートが、液密となるように前記可撓性容器に連結されている、請求項９〜１３のいずれか１項に記載の血液処理フィルター。
【請求項１５】  前記可撓性容器が、軟質ポリ塩化ビニルから形成されている、請求項９〜１４のいずれか１項に記載の血液処理フィルター。
【請求項１６】  前記可撓性容器が、ポリオレフィンから形成されている、請求項９〜１４のいずれか１項に記載の血液処理フィルター。
【請求項１７】  採血システムであって、該採血システムは、血液を収容する容器、および配管によって該容器と一体的に連結されているフィルターを含み、該容器およびフィルターは、遠心分離のために１ユニットとして相互に配列されており、該フィルターは、繊維濾過材、ハウジング、第一シール、第二シールを含み、該繊維濾過材は、深層濾過によって血液から白血球を取り除く複数層の積み重りとして配列され、該繊維濾過材は、周縁部を含み、該ハウジングは、該濾過材を包む２枚の可撓性シートを含み、該第一シールは、該複数層の積み重りの該周縁部より内側に、該シートを該繊維濾過材に直接接合し、該第二シールは、該複数層の積み重りの該周縁部より外側に、該シートを接合し、該複数層の積み重りのある領域は、遠心分離中に該フィルターと該容器との間の接触を緩衝するように、該第一シールと第二シールとの間で伸長している、
採血システム。
【請求項１８】  さらに、第二容器を含み、該第二容器が、配管によって前記フィルターと一体的に連結して、血液を収容し、前記容器、該第二容器および該フィルターが、遠心分離のために１ユニットとして相互に配列されており、そして前記第一シールと前記第二シールとの間で伸長している複数層の積み重りの前記領域が、遠心分離中に、該第一容器および第二容器と、該フィルターとの間の接触を緩衝する、請求項１７に記載のシステム。
【請求項１９】  前記フィルターが、前記第一容器と前記第二容器との間で直列に位置している、請求項１８に記載のシステム。
【請求項２０】  前記フィルターが、直線で囲まれた形状である、請求項１９に記載のシステム。
【請求項２１】  前記フィルターが、長方形である、請求項１７に記載のシステム。
【請求項２２】  フィルターであって、該フィルターは、繊維濾過材、ハウジング、第一シール、第二シールを含み、該繊維濾過材は、深層濾過によって血液から白血球を取り除く複数層の積み重りとして配列され、該繊維濾過材は、周縁部を含み、該ハウジングは、該濾過材を包む２枚の可撓性シートを含み、該第一シールは、該複数層の積み重りの該周縁部より内側に、該シートを該繊維濾過材に直接接合し、該第二シールは、該複数層の積み重りの該周縁部より外側に、該シートを接合し、そして少なくとも１つのポートが、該第一シールより内側に間隔を置いて、該ハウジングに連結されており、該複数層の積み重ねのある領域は、取り扱い中に該フィルターの接触を緩衝するように、該第一シールと第二シールとの間で伸長している、
フィルター。
【請求項２３】  前記ポートが、成形されている、請求項２２に記載のフィルター。